(57)【特許請求の範囲】
【請求項１】
記録メディアが挿入されて装着される空間を形成する本体と、
前記本体に前記記録メディアが挿入される方向に対して垂直の面内で回動するように設けてあり、挿入される前記記録メディアによって押し退けられ、前記記録メディアが装着されると前記記録メディアを係止してロックするロック部材と、
前記ロック部材を前記記録メディアを係止する方向に付勢する付勢手段を有する構成としたことを特徴とする記録メディア装置。
【請求項２】
請求項１記載の記録メディア装置において、
上記ロック部材は、その両側から反対側に突き出した軸部を有する構成であり、
上記本体は、凹部を有する構成であり、
上記ロック部材は、その軸部を嵌合支持させて、該本体の凹部内に収容してある構成であることを特徴とする記録メディア装置。
【請求項３】
請求項１記載の記録メディア装置において、
記録メディアが装着されているときに操作されて、上記ロック部材を上記記録メディアに対する係止が解除されるように回動させ、続いて、装着されている記録メディアを押し出すイジェクト機構を有することを特徴とする記録メディア装置。
【発明の詳細な説明】
【０００１】
【発明の属する技術分野】
本発明は記録メディア装置に係り、特に記録メディアが挿入されて装着される構成の記録メディア装置に関する。
【０００２】
【従来の技術】
記録メディアは、内部に情報を記録する半導体素子又は磁気記録媒体、又は情報の記録及び再生を行う磁気ヘッド装置等を有している構成である。記録メディア装置は、記録メディアが挿入されて装着され、且つ装着された記録メディアを排出できるようになっている装置であり、電子機器内に組み込まれて使用される。電子機器の指令によって、装着された記録メディアにアクセスがなされて、情報が記録されたり、情報が読み取られたりする。
【０００３】
この記録メディア装置には、衝撃を受けた場合でも記録メディアがイジェクトされないようにする耐衝撃対策として、装着された記録メディアをロックする記録メディアロック機構が設けてある。
【０００４】
図１１は従来の記録メディア装置１を概略的に示す。Ｘ１−Ｘ２は幅方向、Ｙ１−Ｙ２は奥行き方向、Ｚ１−Ｚ２は高さ方向である。記録メディア装置１は、略Ｕ字形状の本体２の内部に、コネクタ５と、記録メディアロック機構１０と、記録メディアイジェクト機構１５とが設けられた構成である。本体２は、奥の本体部２ａと、両側の腕部２ｂ，２ｃとよりなり、Ｘ−Ｙ面に配置される。
【０００５】
記録メディア２０は、四角の板状体であり、先端側にコネクタ２１を有し、側面側にロック用の切欠き２２を有する構成である。この記録メディア２０は、Ｘ−Ｙ面に配置され、Ｙ１方向に挿入されて、コネクタ２１がコネクタ５と接続され、切欠き２２が記録メディアロック機構１０によってロックされた状態で装着される。
【０００６】
記録メディアロック機構１０は、腕部２ｃ内に設けてあり、回動するロック部材１１を有する構成である。ロック部材１１は、上面に突き出た軸部１２及び下面に突き出た軸部１３を腕部２ｃ内の軸受部（図示せず）によって支持されて、回動中心軸線１４がＺ１−Ｚ２方向であり、装着された記録メディア２０と同じＸ−Ｙ面内で回動される構成である。ロック部材１１が切欠き２２を係止して、記録メディア２０をロックしている。
【０００７】
記録メディアイジェクト機構１５は、イジェクト釦１６と、ロッド１７と、イジェクトレバー１８とよりなる構成である。イジェクト釦１６を押す操作を行うと、ロッド１７がＹ１方向に移動され、第１には、ロック部材１１が二点鎖線で示すように角度α回動されてロックが解除され、第２には、イジェクトレバー１８が回動されて記録メディア１０がＹ２方向に押し出される。
【０００８】
【発明が解決しようとする課題】
記録メディアロック機構１０のロック部材１１は、その回動中心軸線１４がＺ１−Ｚ２方向であり、装着された記録メディア２０と同じＸ−Ｙ面内で回動される構成である。このため、ロック部材１１がその回動する部分を含めて占有する空間は、Ｘ１−Ｘ２方向上に広くなってしまい、これにより、腕部２ｃの幅寸法Ｗ１が大きくなって、記録メディア装置１の幅寸法Ｗ１０が大きくなってしまい、記録メディア装置１の幅方向の小型化を図ることが難しかった。
【０００９】
また、ロック部材１１がＸ−Ｙ面内で回動される構成であるので、ロッド１７の移動によってロック部材１１をロック解除方向に回動させる場合に、ロッド１７の短い移動量でロック部材１１を大きく回動させることが難しく、ロック部材１１がある程度移動しないと、ロック部材１１が切欠き２２から抜け出す状態まで回動されなかった。このため、記録メディア１０を、そのロックを解除させ、それから押し出させるに必要なイジェクト釦１６の押すストロークが長くなってしまい、操作性が良くなかった。
【００１０】
また、ロック部材１１の軸がＺ方向であるので、ロック部材１１を腕部２ｃの内部に組み込むことが難しかった。
【００１１】
また、記録メディア装置１の厚さ寸法Ｈ１が短く定めてある関係から、ロック部材１１は、軸部１２と軸部１３との間の寸法ａを短くする必要があり、且つ、各軸部１２、１３の長さを長く出来ず、よって、ロック部材１１の軸部１２、１３の部分の機械的強度を十分に高めることも難しかった。
【００１２】
そこで、本発明は、上記課題を解決した記録メディア装置を提供することを目的とする。
【００１３】
【課題を解決するための手段】
請求項１の発明は、記録メディアが挿入されて装着される空間を形成する本体と、
前記本体に前記記録メディアが挿入される方向に対して垂直の面内で回動するように設けてあり、挿入される前記記録メディアによって押し退けられ、前記記録メディアが装着されると前記記録メディアを係止してロックするロック部材と、
前記ロック部材を前記記録メディアを係止する方向に付勢する付勢手段を有する構成としたものである。
【００１４】
ロック部材の回動中心軸が装着された記録メディアの上下の面に対して垂直の方向であり、ロック部材が装着された記録メディアの上下の面と同じ面内で回動される従来の構成に比べて、ロック部材の回動する角度が小さくなる。また、ロック部材の軸部の部分の寸法が本体の厚さによって制限を受けないようになって、軸部の部分の寸法の制限が格段に緩くなって、ロック部材の支持の強度の向上を図ることが可能となる。
【００１５】
請求項２の発明は、請求項１記載の記録メディア装置において、
上記ロック部材は、その両側から反対側に突き出した軸部を有する構成であり、
上記本体は、凹部を有する構成であり、
上記ロック部材は、その軸部を嵌合支持させて、該本体の凹部内に収容してある構成であるようにしたものである。
【００１６】
ロック部材の本体内への組み込みが簡単となる。
【００１７】
請求項３の発明は、請求項１記載の記録メディア装置において、
記録メディアが装着されているときに操作されて、上記ロック部材を上記記録メディアに対する係止が解除されるように回動させ、続いて、装着されている記録メディアを押し出すイジェクト機構を有する構成としたものである。
【００１８】
ロック部材の回動する角度が小さくなっている関係から、イジェクト操作のストロークを短くすることが可能となる。
【００１９】
【発明の実施の形態】
図１及び図２は本発明の一実施例になる記録メディア装置５０の記録メディア３０が装着してあるときの状態を示す図である。Ｘ１−Ｘ２は幅方向、Ｙ１−Ｙ２は奥行き方向、Ｚ１−Ｚ２は高さ方向である。図２は分解した状態で下側から見て示す。記録メディア装置５０はＸ−Ｙ面に沿う平面的な構成であり、記録メディア３０はＸ−Ｙ面に沿う平面的な構成であり、Ｘ−Ｙ面内で移動して装着される。
【００２０】
記録メディア３０は、図３（Ａ），（Ｂ）に示すように、長方形のカード形状であり、Ｙ１で示す挿入方向の先端にコネクタ部３１を有する。記録メディア３０は、上面３２、下面３３、後端面３４、Ｘ１側の側面３５、Ｘ２側の側面３６を有する。下面３３と側面３６との角部に、ロック用の凹部４０が形成してある。
【００２１】
図１及び図２に示すように、記録メディア装置５０は、略Ｕ字形状の本体５１を有する。本体５１は、Ｙ１側のＸ１−Ｘ２方向に長いコネクタ５２と、コネクタ５２の両端側からＹ２方向に延在している合成樹脂の成形品である腕部材５３，５４とを有する。本体５１の底面側は、金属板製の底板部材５５によって塞がれている。本体５１に、記録メディアイジェクト機構６０及び記録メディアロック機構７０が組み込まれている。５６は、本体５１の内側の部分であり、Ｘ−Ｙ面に沿う平面的な部分であり、記録メディア３０が装着される空間である。
【００２２】
記録メディアイジェクト機構６０は、腕部材５３の溝５３ａに嵌合しているスライドレバー６１と、このＹ２端に固定してあるイジェクト釦６２と、スライドレバー６１のＹ１端と連結してある回動アーム６３と、回動アーム６３の回動によってＹ２方向に移動される記録メディア押し出し部材６４とよりなる構成である。図１に示すように記録メディア３０が装着されている状態でイジェクト釦６２を押す操作をすると、スライドレバー６１、回動アーム６３を介して押し出し部材６４がＹ２方向に移動され、記録メディア３０がコネクタ部３１の両側を押されて、コネクタ５２との接続を解除されてＹ２方向に押し出される。
【００２３】
次に、本発明の要部をなす記録メディアロック機構７０について説明する。
【００２４】
図４は記録メディアロック機構７０をＹ２側から見て概略的に示す。図４（Ａ）はロック状態、（Ｂ）はロックが解除された状態を示す。図５は、記録メディア装置５０を裏返し、底板部材５５及び押し出し部材６４を省略して示す。図５（Ｂ）は、（Ａ）中、記録メディアロック機構７０を拡大して示す。図６は記録メディアロック機構７０を分解して示す。図７はロック部材とストッパ部との関係を示す図である。
【００２５】
記録メディアロック機構７０は、ロック部材７１と、トーションコイルばね７２と、軸押え部材７３と、ロック解除アーム片７４とを有する構成であり、腕部５３に形成してある凹部５３ｂの内部に組み込まれている。凹部５３ｂは底板部材５５によって塞がれている。
【００２６】
ロック部材７１は、合成樹脂の成形品であり、Ｙ１−Ｙ２に長い長方形の板部７１ａと、長方形の板部７１ａのＹ１及びＺ２方向の端よりＸ２方向に張り出している三角形の張り出し部７１ｂと、長方形の板部７１ａのＹ１及びＺ１方向の端よりＹ１に突き出ている軸部７１ｃと、長方形の板部７１ａのＹ２及びＺ１方向の端よりＹ２に突き出ている軸部７１ｄとを有する。張り出し部７１ｂは、斜辺部７１ｂ１と、尖部７１ｂ２とを有する。軸部７１ｃと軸部７１ｄとは、Ｙ１−Ｙ２方向の線８０上に整列している。
【００２７】
軸部７１ｃにはトーションコイルばね７２が嵌合してある。
【００２８】
また、凹部５３ｂには、軸部７１ｃが嵌合する軸受け穴部５３ｃと、軸部７１ｄが嵌合する軸受け溝部５３ｄと、軸押え部材７３が嵌合して固定される軸押え部材固定部５３ｅと、張り出し部７１ｂが突き出すスリット５３ｆと、長方形の板部７１ａを受け止めるストッパ部５３ｇとを有する。軸受け穴部５３ｃと軸受け溝部５３ｄとは、Ｙ１−Ｙ２方向の線８１上に整列している。
【００２９】
ロック部材７１は、軸部７１ｃが軸受け穴部５３ｃに嵌合し、軸部７１ｄが軸受け溝部５３ｄに嵌合し軸押え部材固定部５３ｅに嵌合して固定された軸押え部材７３によって抜け出しを制限されて、凹部５３ｂ内に、軸部７１ｃ、７１ｄがＺ１側で、張り出し部７１ｂがＺ２側である吊り下げられた姿勢で収容されている。ロック部材７１は、Ｙ２側から見て、軸部７１ｃ、７１ｄを中心に、Ｘ−Ｚ面内で回動する構成、即ち、記録メディア３０が挿入される方向に対して垂直の面内で回動する構成である。
【００３０】
ロック部材７１は、Ｙ２側から見て、トーションコイルばね７２によって反時計方向に回動付勢されており、長方形の板部７１ａのＹ２方向側の部分がストッパ部５３ｇに当たって、Ｚ２方向を向いた回動位置で回動を制限されている。張り出し部７１ｂがスリット５３ｆを通して腕部５３の内側面に突き出している。
【００３１】
ロック解除アーム片７４は、図２に示すように、スライドレバー６１から枝状に突き出しており、先端が符号７４ａで示すようにカールしており、図５（Ｂ）に示すように、先端のカール部７４ａが長方形の板部７１ａのうちＹ２側のＸ１側の面７１ａ１の端に対向している。
【００３２】
次に、上記構成になる記録メディアロック機構７０の動作について説明する。
【００３３】
記録メディア３０をそのコネクタ部３１を先頭にして記録メディア装置５０内に挿入すると、斜辺部７１ｂ１を記録メディア３０によって押し退けられて、ロック部材７１は一旦図５（Ｂ）に二点鎖線で示すように回動される。
【００３４】
記録メディア３０がそのコネクタ部３１がコネクタ５２に接続された状態まで挿入されると、図８（Ａ），（Ｂ）及び図４（Ａ）に示すように、ロック用の凹部４０が尖部７１ｂ２に対向して、尖部７１ｂ２が凹部４０に係合して、記録メディア３０はロックされる。
【００３５】
記録メディア３０への情報の書き込みが終了して記録メディア３０を排出する場合には、操作者はイジェクト釦６２を押すイジェクト操作をする。イジェクト操作をすると、先ず、図９（Ａ），（Ｂ）及び図４（Ｂ）に示すように、ロック解除アーム片７４が板部７１ａの面７１ａ１を押して、ロック部材７１は、Ｙ２側から見て、トーションコイルばね７２に抗して時計方向に回動され、尖部７１ｂ２が凹部４０から抜け出して、記録メディア３０はロックが解除される。続いて、図１０（Ａ），（Ｂ）に示すように、記録メディアイジェクト機構６０が動作して、記録メディア３０がＹ２方向に押し出される。
【００３６】
ここで、ロック部材７１は、図４（Ａ）、（Ｂ）に示すように、Ｙ２側から見てＸ−Ｚ面内で回動する構成であるため、ロック部材７１の回動する角度βは、従来例の図１１に示す角度αに比べて小さくて足りる。よって、記録メディアロック機構７０が占有する空間９０は狭くて足り、しかも、空間９０は腕部材５３の厚さ方向を利用して形成してあるため、図１及び図５（Ａ）に示すように、腕部材５３の幅寸法Ｗ１Ａは特に大きくはならず、記録メディア装置５０の幅寸法Ｗ１０Ａは特に大きくはならず、記録メディア装置５０は従来に比べて小型となっている。
【００３７】
また、ロック部材７１の回動する角度βが従来例の角度αに比べて小さくて足りるため、ロック状態にある記録メディアロック機構７０をロック解除状態とするのに必要とされるイジェクト釦６２のストロークは従来に比べて短くて足りる。よって、記録メディア３０を、そのロックを解除させ、それから押し出させるに必要なイジェクト釦６２の押すストロークは従来に比べて短くて足り、操作性が向上する。
【００３８】
また、ロック部材７１は軸部７１ｃ，７１ｄをＹ方向に有する形状であるので、上記の様に腕部５３の下面に凹部５３ｂを形成し、本体５１の上下面を反転させ、図６に示すように、上面側から凹部５３ｂ内に、トーションコイルばね７２が嵌合してあるロック部材７１及び軸押え部材７３を組み込むことが可能となる。よって、記録メディアロック機構７０の組立て作業は簡単である。
【００３９】
また、図６に示すように、ロック部材７１は軸部７１ｃ，７１ｄをＹ方向、即ち、腕部材５３の長手方向に有する形状であるので、軸部７１ｃと軸部７１ｄとの間の寸法が腕部材５３の厚さによって制限されることが無く、よって、上記寸法の制約が緩くなって、軸部７１ｃと軸部７１ｄとの間の寸法Ａは長くなる。よって、ロック部材１１の離れた個所を支持されることになり、支持状態は安定となる。また、ロック部材７１の軸部７１ｃ，７１ｄはＹ方向に向いているため、軸部７１ｃ，７１ｄの長さＢ，Ｃを長く出来、よって、軸部７１ｃ，７１ｄの部分の機械的強度は、軸部を短くする必要がある従来の構成に比べて、高くなっている。
【００４０】
なお、腕部材５３に凹部を上面側から形成し、ロック部材７１を凹部内に腕部材５３の上面側から組み込む構成とすることも出来る。
【００４１】
【発明の効果】
上述の如く、本発明によれば、挿入されて装着される記録メディアをロックする記録メディアロック機構のロック部材が、その回動中心軸が記録メディアの挿入方向に沿うように配置されて、記録メディアが挿入される方向に対して略垂直の面内で回動するように本体内に組み込んである構成であるため、ロック部材が挿入される記録メディアの面と同じ面内で回動する従来の記録メディアロック機構に比べて、回動するロック部材が記録メディア装置の幅方向上占有する空間を狭くすることが出来、よって、記録メディア装置の幅方向上の小型化を図ることが出来る。また、本発明によれば、ロック部材の回動中心軸の長さの制約が無く、しかも、二つの回動中心軸の間の間隔の制約も無く、よって、機械的強度の高いロック部材を使用することが出来、また、ロック部材が高い機械的強度で支持される記録メディアロック機構を実現することが出来る。更には、ロック部材の回動中心軸が記録メディアの挿入方向に沿うように配置されているため、ロック部材を本体へ組み込むことを簡単に行うことが可能となり、組立て性の良い記録メディアロック機構を実現することが出来る。
【図面の簡単な説明】
【図１】本発明の一実施例になる記録メディア装置の記録メディアが装着されている状態の斜視図である。
【図２】図１の記録メディア装置を分解して下方から見て示す分解斜視図である。
【図３】記録メディアを示す斜視図である。
【図４】記録メディアロック機構を概略的に示す図である。
【図５】（Ａ）は記録メディア装置を底板部材を取り外した状態で下方から見て示す斜視図、（Ｂ）は（Ａ）中の記録メディアロック機構を拡大して示す図である。
【図６】記録メディアロック機構を分解して示す斜視図である。
【図７】記録メディアロック機構の別の方向から見て示す斜視図である。
【図８】（Ａ）は記録メディアが装着されているときの記録メディア装置を底板部材を取り外した状態で下方から見て示す斜視図、（Ｂ）は（Ａ）中の記録メディアロック機構を拡大して示す図である。
【図９】（Ａ）はイジェクト操作の初期の段階での記録メディア装置を下方から見て示す斜視図、（Ｂ）は（Ａ）中の記録メディアロック機構を拡大して示す図である。
【図１０】（Ａ）はイジェクト操作完了時での記録メディア装置を下方から見て示す斜視図、（Ｂ）は（Ａ）中の記録メディアロック機構を拡大して示す図である。
【図１１】従来の記録メディア装置を概略的に示す図である。
【符号の説明】
３０  記録メディア
３１  コネクタ部
４０  ロック用の凹部
５０  記録メディア装置
５１  本体
５２  コネクタ
５３、５４  腕部材
５３ａ  溝
５３ｂ  凹部
５３ｃ  軸受け穴部
５３ｄ  軸受け溝部
５５  底板部材
５６  記録メディア装着空間
６０  記録メディアイジェクト機構
６１  スライドレバー
６２  イジェクト釦
６３  回動アーム
６４  記録メディア押し出し部材
７０  記録メディアロック機構
７１  ロック部材
７１ａ  長方形の板部
７１ｂ  張り出し部
７１ｂ１  斜辺部
７１ｂ２  尖部
７１ｃ、７１ｄ  軸部
７２  トーションコイルばね
７３  軸押え部材
７４  ロック解除アーム片
９０  空間
【図１】
0004067311.tif 000002
【図２】
0004067311.tif 000003
【図３】
0004067311.tif 000004
【図４】
0004067311.tif 000005
【図５】
0004067311.tif 000006
【図６】
0004067311.tif 000007
【図７】
0004067311.tif 000008
【図８】
0004067311.tif 000009
【図９】
0004067311.tif 000010
【図１０】
0004067311.tif 000011
【図１１】
0004067311.tif 000012